(57)【要約】      （修正有）【課題】開方向及び閉方向の何れの方向においても操作性の良い戸を提供する。【解決手段】横方向に移動する戸であり、戸本体１と、戸本体１の戸先側に取手３と、機能部品４とを備え、取手３は、戸操作部３０と機能部品操作部３６を有し、戸操作部３０は、戸本体１に固定してあり、取手３に手をかけて機能部品操作部３６を、戸の開方向へ操作することにより、及び戸の閉方向へ操作することにより機能部品４のオンオフを切り替える。【選択図】図１
2018084105.tif 000002
【特許請求の範囲】
【請求項１】
横方向に移動する戸であり、戸本体と、戸本体の戸先側に取手と、機能部品とを備え、取手は、戸操作部と機能部品操作部を有し、戸操作部は、戸本体に固定してあり、取手に手をかけて機能部品操作部を、戸の開方向へ操作することにより、及び戸の閉方向へ操作することにより機能部品のオンオフを切り替えることを特徴とする戸。
【発明の詳細な説明】
【技術分野】
【０００１】
本発明は、横方向に移動する戸に関する。
【背景技術】
【０００２】
横方向へ移動する戸には、機能部品操作部を操作することにより、ブレーキや錠等の戸の機能を解除して開閉させるものがある。例えば特許文献１に示す門扉は、門扉の開閉方向と直交する方向に操作するレバー（機能部品操作部）を備えており、レバーを手指で握り門扉の制動を解除するとともに、門扉の開閉操作を行うものである。
【先行技術文献】
【特許文献】
【０００３】
【特許文献１】特許第５２３７９９５号公報
【発明の概要】
【発明が解決しようとする課題】
【０００４】
しかしながら、このような従来の戸は、機能部品操作部を操作する方向と戸の開閉方向が一致しないので、操作し難いという問題があった。
本発明は上記実情に鑑み、開方向及び閉方向の何れの方向においても操作性の良い戸を提供することを目的とする。
【課題を解決するための手段】
【０００５】
本発明は、横方向に移動する戸であり、戸本体と、戸本体の戸先側に取手と、機能部品とを備え、取手は、戸操作部と機能部品操作部を有し、戸操作部は、戸本体に固定してあり、取手に手をかけて機能部品操作部を、戸の開方向へ操作することにより、及び戸の閉方向へ操作することにより機能部品のオンオフを切り替えることを特徴とする。
【発明の効果】
【０００６】
本発明によれば、取手に手をかけて機能部品操作部を戸の開方向へ操作することにより、及び戸の閉方向へ操作することにより機能部品のオンオフを切り替えることが可能であるので、操作者は、機能部品操作部を戸の移動方向と同じ方向へ操作することにより、容易に機能部品のオンオフを切り替えるとともに戸を開閉できるため、操作性が良い。
【図面の簡単な説明】
【０００７】
【図１】戸の正面図である。
【図２】（ａ）は戸本体を戸先側から見た側面図であり、（ｂ）は戸本体の戸先部分を示す背面図である。
【図３】（ａ）（ｂ）は取手における機能部品操作部の操作を示す正面図、（ｃ）は取手を分解して機能部品操作具のみを示す正面図である。
【図４】戸先框と表裏の取手を示す図であり、図３のＡ―Ａ断面図である。
【図５】取手を示す図であり、（ａ）（ｂ）は正面から見た斜視図、（ｃ）は背面から見た斜視図である。
【図６】取手の他の形態を示す図であり、（ａ）は正面から見た斜視図、（ｂ）（ｃ）は機能部品操作部の操作を示す正面図である。
【発明を実施するための形態】
【０００８】
以下、本発明の実施の形態を図面に基づいて説明する。なお、以下において、左右とは、図１における正面視した際の左右であり、戸の閉方向及び開方向を示す。
【０００９】
図１に示すように、本発明は横方向へ移動する戸であり、戸本体１と地面Ｇに立設した門柱２とを備え、戸本体１の戸先側に設けられた取手３を押し引きして戸本体１を正面視した際の右方向へ移動させることにより戸本体１と門柱２との間口を開き、左方向へ移動させて戸本体１を門柱２に突き合わせることにより間口を塞ぐものである。また、戸本体１は、機能部品４を有し、取手３の押し引きの動作とともに後述する取手３の機能部品操作部３６，３６を操作することによって、機能部品４のオンオフを切り替えて戸本体１を開閉させることが可能なものである。なお、本実施形態においてブレーキ機構４を機能部品４とするが、特に限定されるものではなく、例えば機能部品４を錠としてもよい。
【００１０】
戸本体１は、門柱２に突き合わせる一端側に戸先框５を、他端側に戸尻框６を備え、戸先框５と戸尻框６との間は複数の縦桟が横桟によって連結された格子体で構成されており、少なくとも間口を塞ぐほどの長さを有している。戸本体１の下面には戸の開閉方向に複数のキャスター７を備え、戸本体１がキャスター７によって開閉方向へ走行可能としてある。複数のキャスター７のうち、戸先框５の下方に位置するキャスター７は、戸の機能部品４としてブレーキ機構４を備えるものである。このブレーキ機構４は、後述する軸８及びワイヤー９を介して機能部品操作具３１と連結してあり、機能部品操作具３１の機能部品操作部３６，３６を操作することによって、機能のオンオフ（戸の制動と解除）が切り替えられる。
【００１１】
戸先框５は、図２に示すように、上下方向の中間部より上方に、取手３と係止具操作部１０と錠１１を備える。取手３と係止具操作部１０と錠１１は、戸先框５の正面及び背面に同様の構成で設けてある。係止具操作部１０と錠１１は、戸先框５を門柱２へ突き合わせた際に操作するものであり、戸本体１を門柱２に係止して施錠を行う。
【００１２】
取手３は、図３及び図５に示すように、戸操作部３０と、機能部品操作具３１を備える。
戸操作部３０は、上下方向に伸びる横向きの略Ｚ字形状をなし、その背面の中心部から突出する取手取付部３２を備え、取手取付部３２において戸先框５に固定されており、戸操作部３０の一側面の上部及び他側面の下部には開口３３，３３が設けてある。また、戸操作部３０の内部には中空部が形成されており、中空部には後述する機能部品操作具３１を備え、機能部品操作具３１の上下両端部に位置する二つの機能部品操作部３６，３６が戸操作部３０の開口３３，３３から露出している。また、戸操作部３０は中央内部に戸本体１の開閉方向に直交する方向に沿う軸８を有する。
軸８は角軸であり、図４に示すように、戸先框５の表裏にわたって挿通し、その両端部は、戸操作部３０の取手取付部３２内部において、機能部品操作具３１の基部３４と連結具３７を介して連結してある。また軸８は、戸先框５の内部においてワイヤー９と連結してある。ワイヤー９は下方に誘導され、ブレーキ機構４に連結してある。
機能部品操作具３１は、図３（ｃ）に示すように、基部３４と機能部品操作部３６を有する二つの部材からなり、二つの部材の基部３４，３４を重ね合わせ、軸８を中心に対向するように組み立てたものである。基部３４は、戸操作部３０内部に納まるほどの大きさの矩形状であり、二つの部材の基部３４，３４を重ね合わせた中心部には軸受部３５が設けてある。二つの基部３４，３４は内部に連結具３７を挟み込んで固定してあり、軸受部３５には連結具３７の軸部が位置し、連結具３７の軸部には軸８を取付ける角穴３８が設けてある。基部３４，３４から上下方向に伸びる二つの機能部品操作部３６，３６は、一方が戸の開方向へ延出し、他方が戸の閉方向へ延出し、夫々戸操作部３０の開口３３，３３から外部へ露出する。機能部品操作具３１は軸８を中心に回動可能であり、機能部品操作部３６が操作されて機能部品操作具３１が回動すると、連結具３７を介して軸８が回転する。詳しくは、機能部品操作具３１は、機能部品操作部３６，３６が戸操作部３０から露出した状態（図３（ａ），図５（ａ））と戸操作部３０の内部へ沈み込んだ状態（図３（ｂ），図５（ｂ））との間で回動可能である。機能部品操作具３１は、機能部品操作部３６が図示しないバネ部材により戸操作部３０の外部へ露出する方向へ付勢してあるため、初期状態（操作していない状態）では図３（ａ）及び図５（ａ）に示す位置にある。なお本実施形態において、機能部品操作具３１は二つの部材が戸操作部３０内部において連結具３７を介して一体として軸８に取り付けてあるが、二つの部材が軸８に夫々取り付けてあり、二つの機能部品操作部３６，３６が連動しないような構成としてもよい。
【００１３】
次に、機能部品操作具３１の操作とブレーキ機構（機能部品）４のオンオフの仕組みについて説明する。取手３は、図３（ａ）及び図５（ａ）に示す状態が、機能部品操作具３１の初期状態であり、ブレーキ機構４が機能して、戸は制動状態（オン状態）にある。図３（ｂ）及び図５（ｂ）は操作状態であり、機能部品操作具３１が回動して機能部品操作部３６が戸操作部３０の内部へ沈み込んでおり、この状態において機能部品であるブレーキ機構４の機能は解除された状態（オフ状態）にある。
図３（ｂ）及び図５（ｂ）に示すように、機能部品操作部３６を押圧して戸操作部３０の内部へ沈み込む方向へ回動させると、図示しないバネ部材の付勢力に抗して軸８が回転する。軸８が回転すると、軸８に連結されたワイヤー９が引っ張られてブレーキ機構４に作用し、ブレーキ機構４は戸の制動を解除する。そして、機能部品操作部３６から手を放すと、バネ部材の付勢力により機能部品操作具３１は自動的に図３（ａ）及び図５（ａ）に示す初期状態へ復帰するとともに、ワイヤー９が繰り出され、戸は再び制動状態となる。
例えば、図１のように正面視した右方向を開方向とする戸を開く場合の操作方法としては、図３（ａ）に示すように、戸操作部３０の上側面に設けた開口３３から左側へ延出する機能部品操作部３６を、操作者が矢印で示すように右方向（開方向）へ操作することにより、機能部品操作具３１が回動し、機能部品操作具３１に連動して軸８が回転し、ブレーキ機構４のオンオフが切り替えられて戸の制動が解除される。操作者は、そのまま機能部品操作部３６を右方向（開方向）へ操作することにより、同時に戸操作部３０を右方向（開方向）へ操作することができる。操作者が機能部品操作部３６から手を放せば、機能部品操作具３１は自動的に図３（ａ）の状態へ復帰し、戸は再び制動状態となる。戸を閉める操作は、この逆方向の操作をすればよく、図３（ａ）において、戸操作部３０の下側面に設けた開口３３から右側へ延出する機能部品操作部３６を操作者が左方向（閉方向）へ操作し戸の制動を解除した状態で、そのまま戸操作部３０を左方向（閉方向）へ操作することにより戸を閉める。要するに、操作者が、取手３の上部又は下部において、取手３に手をかけ、又は取手３を握ると、機能部品操作部３６とともに戸操作部３０にも手指が添えられ、機能部品操作部３６と戸操作部３０を同時に操作可能となるため、一つの動作によって戸の制動の解除操作と戸の移動操作を連続的に行うことができる。
【００１４】
以上のように、戸本体１に取り付けた取手３において、戸操作部３０は戸本体１に固定してあり、取手３に手をかけて機能部品操作部３６を、戸の開方向及び戸の閉方向へ操作可能に構成してあるため、機能部品操作部３６を操作することによりブレーキ機構４のオンオフを切り替えるとともに戸操作部３０を操作し、戸の開閉操作を容易に行うことができる。
詳しくは、取手３は戸操作部３０と二つの機能部品操作部３６を有し、一方の機能部品操作部３６は、戸の開方向へ操作することによりブレーキ機構４のオンオフを切替え、他方の機能部品操作部３６は、戸の閉方向へ操作することによりブレーキ機構４のオンオフを切替えることのできる構成であるため、戸の閉方向及び開方向のいずれの方向へも機能部品操作部３６を操作可能であり、戸の開閉操作の方向と、機能部品操作部３６の操作の方向が一致するので、戸の操作性に優れる。
【００１５】
図６は、取手３の他の実施形態を示している。この取手３は、戸操作部４０と、二つの機能部品操作部４１，４１を備える。上下方向に伸びる戸操作部４０が、下方背面から突出する取手取付部４２において戸先框５に取り付けられており、戸操作部４０の上方の両側面には、開口４３，４３が設けてある。開口４３，４３からは左右異なる方向へ向けて機能部品操作部４１，４１が露出している。機能部品操作部４１は先に説明した実施形態と同様に、図示しないバネ部材に付勢され、軸８を中心に回動可能に取り付けてある。また、軸８から機能部品４への構成も先の実施形態と同様である。この取手３は、図６（ｂ）（ｃ）に示すように、機能部品操作部４１，４１の一方を右方向へ、他方を左方向へ操作することができる。左右方向、言い換えれば、戸の閉方向及び開方向のいずれの方向へも機能部品操作部４１を操作可能であり、戸の開閉移動の方向と機能部品操作部４１の操作の方向が一致するため、操作性が良い。
【００１６】
本発明は、上記の実施形態に限定されない。取手は機能部品操作部を戸の閉方向及び開方向に操作することにより機能部品のオンオフを切り替えるものであれば形状は問わず、機能部品操作部を１つ以上備えるものであってもよい。また、機能部品操作部によってオンオフが操作される機能部品はブレーキ機構に限られない。機能部品を複数備える場合は、機能部品操作部によって一つ以上の機能部品のオンオフを操作できるものとしてもよい。門柱は、本実施形態においては戸本体の戸先側に設けられた柱状のものであるが、戸本体の両側端に設けてもよい。そして、戸は片開きの戸以外に、二つの戸本体を召し合わせる両開きの戸であってもよく、戸本体は伸縮するものや、折り畳み可能なものを使用することもできる。
【符号の説明】
【００１７】
１  戸本体
２  門柱
３  取手
４  ブレーキ機構（機能部品）
３０  戸操作部
３１  機能部品操作具
３６  機能部品操作部
４０  戸操作部
４１  機能部品操作部
【図１】
2018084105.tif 000003
【図２】
2018084105.tif 000004
【図３】
2018084105.tif 000005
【図４】
2018084105.tif 000006
【図５】
2018084105.tif 000007
【図６】
2018084105.tif 000008